(57)【要約】【課題】  本発明は、１つの安全カミソリ収容具であってそれを壁に固着して使用することができると共に、収容具を平坦な場所に固定させて使用することもできる安全カミソリの収容具を提供することを目的とする。本発明は替刃ケースを取り付けることのできる収容具であって壁と平坦な場所のいずれにも固定して使用することのできる収容具を提供することを目的とする。【解決手段】  本発明は、ハンドルの上部にカミソリヘッドを有する安全カミソリの収容具であって、安全カミソリを収容するための少なくとも２つの収容構造を有し、その少なくとも２つの一方の収容構造は収容具を平坦な場所に固定したときに安全カミソリを収容することができる構造を有し、他方の収容構造は収容具を壁面に固定したときに安全カミソリを収容することができる構造を有している。【選択図】  図１
2005218801.tif 000002
【特許請求の範囲】
【請求項１】
ハンドルの上部にカミソリヘッドを有する安全カミソリの収容具であって、安全カミソリを収容するための少なくとも２つの収容構造を有し、その少なくとも２つのうち一方の収容構造は収容具を平坦な場所に固定したときに安全カミソリを収容することができる構造を有し、他方の収容構造は収容具を壁面に固定したときに安全カミソリを収容することができる構造を有していることを特徴とする収容具
【請求項２】
前記一方の収容構造は安全カミソリを起立させた状態にハンドルを支持する構造である請求項１記載の収容具
【請求項３】
安全カミソリを起立させた状態にハンドルを支持するために、ハンドルをその端部から挿入するハンドル挿入部を収容部に設けた請求項２記載の収容具
【請求項４】
前記他方の収容構造は収容具に安全カミソリを掛け下げる構造である請求項１乃至請求項３記載の記載の収容具
【請求項５】
収容具に安全カミソリを掛け下げるために、カミソリヘッド又はハンドルに形成した張り出し部を掛け下げるための掛け部を収容部に設けた請求項４記載の収容具
【請求項６】
収容具の所定の位置に設けられた収容具の固定装置が、収容具を平坦な場所に固定するための固定装置であり且つ壁面に固定するための固定装置でもある請求項１乃至請求項５記載の収容具
【請求項７】
収容具の固定装置は、収容具を平坦な場所に固定したときの収容具の底面に該当する面に取り付けられている請求項６記載の収容具
【請求項８】
収容具の固定装置は収容具に取り付けられた吸盤である請求項６又は請求項７記載の収容具
【請求項９】
替刃収納装置が収容具に回動可能に取り付けられており、収容具を平坦な場所に固定したときに、この替刃収納装置を立ち上がった状態に維持できる手段を有している請求項１乃至請求項８記載の収容具
【請求項１０】
替刃収納装置は替刃ケースであって、この替刃ケースが収容具に直接的に取り付けられている請求項９記載の収容具
【請求項１１】
替刃収納装置は、替刃ケースとこの替刃ケースを着脱自在に嵌め込むことのできる替刃ケース嵌込装置とから成り、この替刃ケース嵌込装置が収容具に直接的に取り付けられている請求項９記載の収容具
【請求項１２】
替刃ケース嵌込装置に嵌め込まれた替刃ケースは替刃ケース嵌込装置に対して遊びがある請求項１１記載の収容具
【請求項１３】
替刃ケース嵌込装置に対し替刃ケースは左右に移動可能な遊びがある請求項１２記載の収容具
【請求項１４】
替刃収納装置はその基部を貫いて横方向に延びる回動軸線を中心に回動可能である請求項９乃至請求項１３記載の収容具
【請求項１５】
替刃収納装置を立ち上がった状態に維持できる手段は、替刃収納装置の回動を一定の位置で規制する係止装置である請求項９乃至請求項１４記載の収容具
【請求項１６】
収容具を壁面に固定するときに替刃収納装置は回動され、回動されたその替刃収納装置は壁面に沿って下がっている請求項９乃至請求項１５記載の収容具  
【請求項１７】
収容具に掛け下げられた安全カミソリを覆うカバーを有し、カバーは収容具に取り付けられた左右対称の一対のカバー体が協働して安全カミソリの上部を上方から覆う構造を有し、安全カミソリを上方に持ち上げて取り出すときにカミソリヘッドが両カバー体の間を通過できるように、カバーが開放可能であり、且つカバーが閉じられたときに、そのカバーは、安全カミソリを起立させた状態にハンドルを支持するためのハンドル挿入部は覆っていない請求項４乃至請求項１６記載の収容具
【発明の詳細な説明】
【技術分野】
【０００１】
本発明は一般大衆が使用する安全カミソリの収容具に関する。
【背景技術】
【０００２】
安全カミソリは主に洗面所や浴室で使用されるが、それらの洗面所や浴室に取り付けることのできる収容具であって、安全カミソリを掛け下げておくことのできるものが存在する（例えば、特許文献１参照。）。また、使用後に安全カミソリを起立した状態で収容することができるものも存在する（例えば、特許文献２参照。）。
【特許文献１】実開昭５９−２７７０９号公報
【特許文献２】特開平６−２９６５１９号公報
【発明の開示】
【発明が解決しようとする課題】
【０００３】
特許文献１のように安全カミソリを掛け下げておくことのできる収容具は、通常浴室などの壁に固着して使用する。したがって、収容具を固着できる適当な壁があれば問題ないが、そのような壁のない場所では収容具が使用できない。また、特許文献２のように安全カミソリを起立した状態で収容できる収容具は、通常洗面台の平坦な場所に置いて使用する。したがって、平坦な適当な場所がなければ収容具を使用することができない。そこで本発明は、１つの収容具であってそれを壁に固着して使用することができると共に、収容具を平坦な場所に固定させて使用することもできる安全カミソリの収容具を提供することを目的とする。
【０００４】
収容具を壁や平坦な場所に固定して使用するときは、その収容具に替刃ケースが備えられていて必要時に即座に補充することができれば使用者にとって便利である。しかし、平坦な場所に固定する構造の収容具に替刃ケースを取り付けたときに、その収容具を壁に固着しようとするときにはその替刃ケースが邪魔になって固着できないのである。そこで、本発明は替刃ケースを取り付けることのできる収容具であって壁と平坦な場所のいずれにも固定して使用することのできる収容具を提供することを目的とする。
【課題を解決するための手段】
【０００５】
本発明の請求項１は、ハンドルの上部にカミソリヘッドを有する安全カミソリの収容具であって、安全カミソリを収容するための少なくとも２つの収容構造を有し、その少なくとも２つのうち一方の収容構造は収容具を平坦な場所に固定したときに安全カミソリを収容することができる構造を有し、他方の収容構造は収容具を壁面に固定したときに安全カミソリを収容することができる構造を有している構成である。
【０００６】
請求項２は、一方の収容構造が安全カミソリを起立させた状態にハンドルを支持する構造である要素が請求項１に限定的に付加された構成であり、請求項３は、  安全カミソリを起立させた状態にハンドルを支持するために、ハンドルをその端部から挿入するハンドル挿入部を収容部に設けた要素が請求項２に限定的に付加された構成である。
【０００７】
請求項４は、他方の収容構造が収容具に安全カミソリを掛け下げる構造である要素が請求項１乃至請求項３に限定的に付加された構成である。請求項５は、収容具に安全カミソリを掛け下げるために、カミソリヘッド又はハンドルに形成した張り出し部を掛け下げるための掛け部を収容部に設けた要素が請求項４に限定的に付加された構成である。
【０００８】
請求項６は、収容具の所定の位置に設けられた収容具の固定装置が、収容具を平坦な場所に固定するための固定装置であり且つ壁面に固定するための固定装置でもある要素が請求項１乃至請求項５に限定的に付加された構成である。請求項７は、収容具の固定装置が、収容具を平坦な場所に固定したときの収容具の底面に該当する面に取り付けられている要素が請求項６に限定的に付加された構成であり、請求項８は、収容具の固定装置が収容具に取り付けられた吸盤である要素が請求項６又は請求項７に限定的に付加された構成である。
【０００９】
請求項９は、替刃収納装置が収容具に回動可能に取り付けられており、収容具を平坦な場所に固定したときに、この替刃収納装置を立ち上がった状態に維持できる手段を有している要素が請求項１乃至請求項８に限定的に付加された構成である。請求項１０は、替刃収納装置は替刃ケースであって、この替刃ケースが収容具に直接的に取り付けられている要素が請求項９に限定的に付加された構成である。
【００１０】
請求項１１は、替刃収納装置は、替刃ケースとこの替刃ケースを着脱自在に嵌め込むことのできる替刃ケース嵌込装置とから成り、この替刃ケース嵌込装置が収容具に直接的に取り付けられている要素が請求項９に限定的に付加された構成である。請求項１２は、替刃ケース嵌込装置に嵌め込まれた替刃ケースは替刃ケース嵌込装置に対して遊びがある要素が請求項１１に限定的に付加された構成であり、請求項１３は、替刃ケース嵌込装置に対し替刃ケースは左右に移動可能な遊びがある要素が請求項１２に限定的に付加された構成である。
【００１１】
請求項１４は、替刃収納装置はその基部を貫いて横方向に延びる回動軸線を中心に回動可能である要素が請求項９乃至請求項１３に限定的に付加された構成である。請求項１５は、替刃収納装置を立ち上がった状態に維持できる手段が、替刃収納装置の回動を一定の位置で規制する係止装置である要素が請求項９乃至請求項１４に限定的に付加された構成である。請求項１６は、収容具を壁面に固定するときに替刃収納装置は回動され、回動されたその替刃収納装置は壁面に沿って下がっている要素が請求項９乃至請求項１５に限定的に付加された構成である。
【００１２】
請求項１７は、収容具に掛け下げられた安全カミソリを覆うカバーを有し、カバーは収容具に取り付けられた左右対称の一対のカバー体が協働して安全カミソリの上部を上方から覆う構造を有し、安全カミソリを上方に持ち上げて取り出すときにカミソリヘッドが両カバー体の間を通過できるように、カバーが開放可能であり、且つカバーが閉じられたときに、そのカバーは、安全カミソリを起立させた状態にハンドルを支持するためのハンドル挿入部は覆っていない要素が請求項４乃至請求項１６に限定的に付加された構成である。
【発明の効果】
【００１３】
請求項１は、安全カミソリを収容する収容構造を有し、一方の収容構造は収容具を平坦な場所に固定したときに安全カミソリを収容することができる構造を有し、他方の収容構造は収容具を壁面に固定したときに安全カミソリを収容することができる構造を有している。したがって、収容具を洗面所のいずれかの場所に固定しようとするときに、収容具を固定するための適当な壁面がないときは平坦な場所に収容具を固定して使用できる。また、その収容具を浴室のいずれかの場所に固定しようとするときに、収容具を固定するための適当な平坦な場所がないときは壁面に収容具を固定して使用することができる。このように、本発明の収容具は固定場所を選ばずに使用できるから種々の場所に固定して使用することができる。
【００１４】
請求項２は、一方の収容構造が安全カミソリを起立させた状態にハンドルを支持する構造である。このような支持構造は収容具を平坦な場所に固定して使用するときに安全カミソリの着脱が容易であって最適の構造である。請求項３は、  安全カミソリを起立させた状態にハンドルを支持するために、ハンドルをその端部から挿入するハンドル挿入部を収容部に設けてある。したがって、安全カミソリの着脱はハンドルをハンドル挿入部に挿し入れあるいは引き抜くだけなので着脱が容易である。
【００１５】
請求項４は、他方の収容構造が収容具に安全カミソリを掛け下げる構造である。この構造は収容具を壁面に固定したときに最適である。請求項５は、収容具に安全カミソリを掛け下げるために、カミソリヘッド又はハンドルに形成した張り出し部を掛け下げるための掛け部を収容部に設けてある。カミソリヘッドを利用して掛け下げるので特別な構造は不要でありコストを抑えることができる。
【００１６】
請求項６は、収容具の所定の位置に設けられた収容具の固定装置が、収容具を平坦な場所に固定するための固定装置であり且つ壁面に固定するための固定装置でもある。すなわち、固定装置は収容具の一箇所にしか存在せず、しかもその固定装置を別の場所に移し変えて使用するものでない。したがって、複数の場所に固定装置を別々に設ける必要がなく、構成が複雑にならずコストを抑えることができる。請求項７は、収容具の固定装置が、収容具を平坦な場所に固定したときの収容具の底面に該当する面に取り付けられている。したがって、収容具を平坦な場所に固定して使用するときに、安全カミソリを起立した状態で支持する構造とすれば最適の状態で安全カミソリを収容できる。請求項８は、収容具の固定装置が収容具に取り付けられた吸盤であるから、製造が簡単でコストを抑えることができると共に使用者が扱い易いという効果を奏する。
【００１７】
請求項９は、替刃収納装置が収容具に回動可能に取り付けられており、収容具を平坦な場所に固定したときに、この替刃収納装置を立ち上がった状態に維持できる手段を有している。したがって、収容具を平坦な場所に固定して使用するときに、替刃収納装置は立ち上がった状態に維持されているので替刃収納装置が邪魔にならないという効果を奏する。請求項１０は、替刃収納装置は替刃ケースであって、この替刃ケースが収容具に直接的に取り付けられている。したがって、替刃ケースを収容具に取り付けるための別体の替刃ケース嵌込装置を必要としないからコストを抑えることができる。
【００１８】
請求項１１は、替刃収納装置は、替刃ケースとこの替刃ケースを着脱自在に嵌め込むことのできる替刃ケース嵌込装置とから成り、この替刃ケース嵌込装置が収容具に直接的に取り付けられている。したがって、替刃ケースは収容具から取り外し可能である。替刃ケースに収納されていた替刃をすべて使用したときに、替刃ケースが着脱可能であれば新しい替刃入りの替刃ケースを購入して替刃ケース嵌込装置に装着するだけで継続して使用できる。
【００１９】
請求項１２は、替刃ケース嵌込装置に嵌め込まれた替刃ケースが替刃ケース嵌込装置に対して遊びがある構成である。遊びがあるということは、替刃ケースを替刃ケース嵌込装置に装着しようとするときに、最初に替刃ケースを嵌め込んでいくときは替刃ケースと替刃ケース嵌込装置との接触がやや圧接状態である。そして、替刃ケースが完全に嵌め込まれたときに遊びがあるので、嵌め込んでいるときに遊び状態が生じることによって、替刃ケースが替刃ケース嵌込装置に完全に取り付けられたものであることを認識することができる。請求項１３は、替刃ケース嵌込装置に対し替刃ケースは左右に移動可能な遊びがある構成である。替刃ケースを替刃ケース嵌込装置に対して左右に移動させることによって替刃ケースを着脱する場合おいて、替刃ケースを取り外すときに遊びがあれば移動開始の瞬間に替刃ケースが遊びの分だけ楽に移動するので、その勢いでそのまま一気に替刃ケースを移動して取り外すことができる。
【００２０】
請求項１４は、替刃収納装置はその基部を貫いて横方向に延びる回動軸線を中心に回動可能である。収容具に対する替刃収納装置の位置は、収容具を壁面に固定したときと平坦な場所に固定したときで変化させる必要があるが、替刃収納装置を回動するのみでよいから取扱いが便利である。請求項１５は、替刃収納装置を立ち上がった状態に維持できる手段が、替刃収納装置の回動を一定の位置で規制する係止装置である。したがって、替刃収納装置を簡単に固定できる。請求項１６は、収容具を壁面に固定するときに替刃収納装置は回動され、回動されたその替刃収納装置は壁面に沿って下がっている。したがって、収容具を壁面に固定したときに替刃収納装置が邪魔になることがない。
【００２１】
請求項１７は、収容具に掛け下げられた安全カミソリを覆うカバーを有し、カバーは収容具に取り付けられた左右対称の一対のカバー体が協働して安全カミソリの上部を上方から覆う構造を有し、安全カミソリを上方に持ち上げて取り出すときにカミソリヘッドが両カバー体の間を通過できるように、カバーが開放可能であり、且つカバーが閉じられたときに、そのカバーは、安全カミソリを起立させた状態にハンドルを支持するためのハンドル挿入部は覆っていない構成である。したがって、収容具を壁面に固定して使用する場合に、安全カミソリ特に替刃を覆って埃やシャワーの付着を防いで清潔を保つためにカバーを装着したときであっても、収容具を平坦な場所に置いたときに安全カミソリのハンドルをハンドル挿入部に挿入できるから、安全カミソリを起立した状態で収容できる。
【発明を実施するための最良の形態】
【００２２】
次に実施をするための最良の形態について説明する。本発明の収容具１は浴室などの壁面に固定して使用することができるとともに、洗面所などの平坦な場所に固定して使用することもできる構成である。図１乃至図３は収容具１を壁面に固定して使用する場合を示している。符号３，３は安全カミソリ２のカミソリヘッド４を上部から覆うカバーであり、このカバー３，３は双方が回動して開閉可能となるように収容具１に軸着されている。また、カミソリヘッド４がカバー３，３で覆われているときに安全カミソリ２を上に持ち上げると、上方に移動するカミソリヘッド４とカバー３，３が協働してカバーを開くように構成されている。その構成は、カバー３，３の上部内面が中央に行くに従って高くなる構成であり、これによってカミソリヘッド４がカバー３，３を下から押し開く。また、カバー３，３が開いているときに安全カミソリ２を下に引くと、カミソリヘッド４がカバー３，３を閉じるように作用する。なお、この構成の詳細は特開２００３−１５３７３５号公報に掲載されており公知の技術である。
【００２３】
図３に示すように収容具１のカバー３と反対側の面に吸盤５が取り付けられていて壁面に固定されている。収容具１が壁面に固定された状態における収容具１の前面にカバー３，３が取り付けられており、さらに安全カミソリ２の掛け部６，６が形成されている。掛け部６，６にカミソリヘッドの尖ったアーム下端部３３，３３を掛けて安全カミソリ２を下げておくことができる。また、収容具１の前面にはハンドル挿入部７が設けられ、その底に貫通孔３４が形成されている。これは、後述するように安全カミソリ２を起立状態で支持するためのものである。収容具の上端には突片８が形成されているが、これはカミソリヘッド４の保護キャップ（図示せず。）をのせておくためのものである。保護キャップは外れにくいように突片８に係止する構成でもよく、単に載せておくだけでもよい。
【００２４】
図３に示すように収容具１には替刃ケース嵌込装置９がその基部を貫いて横方向に延びる回動軸線を中心に回動可能となるようにジャーナル結合により取り付けられている。回動軸線の延びる方向は図３において紙面と垂直の方向である。したがって、替刃ケース嵌込装置９は図３に示す状態から図５に示す状態まで回動する。替刃ケース嵌込装置９は板状で断面がコ字形に形成され、そのコ字形に囲まれた部分が嵌込部２８であって、その側方、すなわち図２において左右から替刃ケース１０を挿入して着脱自在に嵌込部２８に嵌め込むことができる。図３に示すようにコ字形の両端から嵌込部方向に突条３０，３０が形成されて替刃１５が外れて落ちることを防止している。替刃ケース嵌込装置の両側部２９，２９の中央は円弧状に凹んでいるから、装着されている替刃ケース１０を押出し易い、また、替刃ケース１０を側方から少し押すことによって反対側にはみ出るので、この部分をつまんで替刃ケース１０を容易に取り出すことができる。また、図３に示すように嵌込部２８の両側には板状の側壁３５が一体に形成され、その中央の幅が広くなっている。したがって、嵌め込まれている替刃ケース１０を側方から押すときに指がこの側壁３５の幅広部分に当たるので指が痛くなることがない。図１０に示すように替刃ケース嵌込装置９の一方の端面３２にスリット３１，３１を設けることによって端面３２の中央に弾性片１１が形成され、この弾性片１１に下向きの突起１２が一体に形成されている。この突起１２は嵌込部２８に嵌め込まれた替刃ケース１０が遊びを有するようにその替刃ケース１０を係止するためのものである。図１０は収容具１を壁面に固定した場合の状態であって、収容具１を平坦な場所に固定すれば突起１２は当然のことながら上向きとなる。なお、収容具１の各部品はプラスチックにより成形されており、そのうちカバー３と替刃ケース嵌込装置９は透明であって安全カミソリ２や替刃１５の有無が目視できる。
【００２５】
図７に示すように替刃ケース１０はその両端面１３，１３に係止凹部１４，１４が形成されている。したがって、替刃ケース１０は上下を逆にしても替刃ケース嵌込装置９に嵌め込むことができる。また、図１０にも示すように替刃ケース嵌込装置の一方の端面３２にスリット３１，３１を設けることによりそれらの間に弾性片１１が形成されている。したがって、替刃ケース嵌込装置９の側方から替刃ケース１０を挿入していくときに、弾性片１１の弾力によって突起１２が端面１３に弾力的に圧接するが、突起１２が係止凹部１４に到達したときに弾性片１１は元の位置に復帰し突起１２は係止凹部１４内に入るので、替刃ケース１０が完全に嵌め込まれたことがわかる。また、突起１２の大きさに比べて係止凹部１４が長く形成されているので、突起１２はこの係止凹部１４内を図１０において左右にいくらか移動可能である。この移動可能な長さが替刃ケース１０の遊びとなる。
【００２６】
替刃ケース１０は文字通り替刃１５を収納するためのものであって通常３〜６個の替刃を収納する。図７に示すように替刃ケース１０の両側に５個ずつの小孔１６が設けられている。また、４つの長円孔１８が設けられ長円半孔１７，１７が両端部に設けられている。長円孔１８には仕切壁１９が覗いている。この替刃ケース１０に収納される替刃１５は図９に示すとおりのものであって、刃先の先方に横方向に延在するガード部２０に先導スムーザー２１が設けられ、後方に後続スムーザー２２が設けられている。さらに両側にサイドスムーザー２３，２３が設けられている。したがって、替刃ケース１０に替刃１５を収納したときに、先導スムーザー２１は仕切壁１９で分けられる長円孔１８の一方の半孔から露出し、後続スムーザー２２は他方の半孔から露出する。また、サイドスムーザー２３は小孔１６から露出する。替刃ケースの替刃収納部２４の一方の面は開放されている。替刃ケース１０を替刃ケース嵌込装置９に嵌め込むときに、替刃収納部２４の開放された面が替刃ケース嵌込装置９を向くようにすることもできるし、反対方向を向くようにすることもできる。替刃収納部２４の開放された面が反対方向を向くようすれば、替刃収納部２４に替刃が収納されたままの状態で替刃をカミソリホルダーに取り付けることができて便利である。
【００２７】
図４及び図５は収容具１に安全カミソリ２を起立した状態で収容した状態を示している。図３に示すように安全カミソリ２を掛け下げた状態から、図４及び図５に示すように安全カミソリ２を起立した状態にする方法について説明する。まず、図３の状態のときに安全カミソリ２を取り外して吸盤５を壁面から外す。次に図４に示すようにカバー３，３を閉じ、吸盤５を下向きにする。そして、替刃ケース嵌込装置９を図３の状態から時計回りに９０度回転して、図４及び図５に示すように替刃ケース嵌込装置９を立ち上がった状態にする。立ち上がった状態を維持する方法としては、収容具１とそれと接触しながら回動する替刃ケース嵌込装置９の接触面の摩擦抵抗をやや大きめに設定してもよい。その双方の接触面の一方に係止突起を設け、他方に係止凹部を設けてもよく、この場合は接触面の摩擦抵抗は大きくする必要はない。他の係止装置を設けてもよいことは勿論である。次に、吸盤５を平坦な場所に固定して収容具１を固定する。このとき、ハンドル挿入部７は上向きになり、図４に示すようにカバー３，３を閉じたときに上方に開放口２７が存在するので、安全カミソリのハンドル２５を開放口２７に通してハンドル挿入部７に挿入することにより安全カミソリ２を起立した状態で支持することができる。なお、図１に示すように収容具１を壁面に固定したときにハンドル挿入部７は水平状態となるので、この状態で安全カミソリのハンドル２５を挿入することができ、安全カミソリを水平状態で収容できる。図５に示すように、替刃ケース嵌込装置９の上端には突片２６が形成されているが、これはカミソリヘッド４の保護キャップ（図示せず。）をのせておくためのものである。なお、収容具１を平坦な場所に固定した場合、吸盤５を除いて立ち上がった替刃ケース嵌込装置９も含めた収容具１の高さは約１１０ｍｍであり、幅は約６０ｍｍであり、奥行きは約６５ｍｍである。安全カミソリを収容しない状態の収容具の重さは、替刃ケース１０及び２個の替刃１５を含んで約６０ｇである。
【図面の簡単な説明】
【００２８】
【図１】安全カミソリを収容具に掛け下げようとする状態の斜視図
【図２】安全カミソリを収容部に掛け下げた状態の正面図
【図３】安全カミソリを収容部に掛け下げた状態の側面図
【図４】安全カミソリを収容部に起立させた状態の正面図
【図５】安全カミソリを収容部に起立させた状態の側面図
【図６】収容具の中央断面図
【図７】替刃ケースの正面図
【図８】図７におけるＡ−Ａ断面図
【図９】替刃の正面図
【図１０】替刃ケース嵌込装置と替刃ケースの遊びのある係止状態を示す一部拡大断面図
【符号の説明】
【００２９】
１  収容具
２  安全カミソリ
３  カバー
４  カミソリヘッド
５  吸盤
６  掛け部
７  ハンドル挿入部
８  突片
９  替刃ケース嵌込装置
１０  替刃ケース
１１  弾性片
１２  突起
１３  端面
１４  係止凹部
１５  替刃
１６  小孔
１７  長円半孔
１８  長円孔
１９  仕切壁
２０  ガード部
２１  先導スムーザー
２２  後続スムーザー
２３  サイドスムーザー
２４  替刃収納部
２５  ハンドル
２６  突片
２７  開放口
２８  嵌込部
２９  側部
３０  突条
３１  スリット
３２  端面
３３  アーム下端部
３４  貫通孔
３５  側壁
【図１】
2005218801.tif 000003
【図２】
2005218801.tif 000004
【図３】
2005218801.tif 000005
【図４】
2005218801.tif 000006
【図５】
2005218801.tif 000007
【図６】
2005218801.tif 000008
【図７】
2005218801.tif 000009
【図８】
2005218801.tif 000010
【図９】
2005218801.tif 000011
【図１０】
2005218801.tif 000012